(57)【要約】  本開示のいくつかの態様は、無線リンク監視(RLM)、ビーム障害回復、ランダムアクセス、および/または他の動作のためなど、アクティブな帯域幅部分(BWP)の切替えに伴う動作のための技法および装置を提供する。本明細書で説明するように、UEは、BWPの1つまたは複数のセットで構成され得る。UEは、使用するためのアップリンクおよび/またはダウンリンクBWPを決定/選択し得る。たとえば、UEは、アクティブなBWPを使用するか、または別のBWPに切り替えるかを決定し得る。UEは、RLM、ビーム障害回復、および/またはランダムアクセスなどの動作の間に、ダウンリンク上で監視するために、かつ/またはアップリンク上で送信するためにBWPを使用し得る。
2021507645.tif 000002
【特許請求の範囲】
【請求項１】
ユーザ機器(UE)によるワイヤレス通信のための方法であって、
前記UEに対する帯域幅部分(BWP)のセットの構成を送受信ポイント(TRP)から受信するステップと、
ビーム障害回復プロシージャに関して、前記BWPのセットのうちのアクティブなBWPを使用するか、または前記BWPのセットのうちの別のBWPに切り替えるかを決定するステップと、
前記決定に基づいて、前記ビーム障害回復プロシージャの間に前記決定されたBWP上で監視することまたは送信することのうちの少なくとも1つを行うステップと
を含む、方法。
【請求項２】
前記UEにおける動作状態を決定するステップと、
前記決定された動作状態に少なくとも部分的に基づいて、前記アクティブなBWPを使用するか、または前記別のBWPに切り替えるかを決定するステップと
をさらに含む、請求項1に記載の方法。
【請求項３】
前記決定が、ランダムアクセスプロシージャをサポートするのが前記アクティブなBWPか前記別のBWPかに少なくとも部分的に基づく、請求項1に記載の方法。
【請求項４】
前記UEに対するダウンリンク制御情報(DCI)または前記UEによるアップリンク送信の存在を決定するステップであって、前記アクティブなBWPを使用するか、または前記別のBWPに切り替えるかの前記決定が、前記DCIまたは前記アップリンク送信の前記存在に少なくとも部分的に基づく、決定するステップをさらに含む、請求項1に記載の方法。
【請求項５】
しきい値を超える時間期間にわたる前記アクティブなBWP上のトラフィックの欠如を決定するステップと、
前記決定されたトラフィックの欠如に基づいて、前記アクティブなBWPの変更についての要求を前記TRPに送信するステップと
をさらに含む、請求項1に記載の方法。
【請求項６】
前記BWPのセットに関連する、1つもしくは複数の同期信号(SS)または基準信号(RS)同士の間の疑似コロケート(QCL)関係の指示を受信するステップをさらに含む、請求項1に記載の方法。
【請求項７】
前記決定が、前記UEがコネクテッドモード間欠受信(C-DRX)モードであるかどうかに少なくとも部分的に基づく、請求項1に記載の方法。
【請求項８】
前記構成が、監視するための1つもしくは複数の同期信号(SS)または基準信号(RS)の指示を含み、
前記監視することが、前記決定されたBWP内で前記指示されたSSまたはRSのうちの1つまたは複数を監視することをさらに含む
請求項1に記載の方法。
【請求項９】
前記監視された1つまたは複数のSSに関連するアウトオブサービス(OOS)指示の数がしきい値よりも大きいと決定するステップと、
前記1つまたは複数のRSを監視するために前記別のBWPに切り替えると決定するステップと
をさらに含む、請求項8に記載の方法。
【請求項１０】
前記別のBWPが、SSおよびRSを含むか、またはRSを含むがSSは含まない、請求項9に記載の方法。
【請求項１１】
前記しきい値が、連続したOOS指示のしきい値数を含む、請求項9に記載の方法。
【請求項１２】
前記しきい値を前記TRPから受信するステップ
をさらに含む、請求項9に記載の方法。
【請求項１３】
前記切替えの後、無線リンク障害タイマをリセットするステップ
をさらに含む、請求項9に記載の方法。
【請求項１４】
ワイヤレス通信のための装置であって、
前記装置に対する帯域幅部分(BWP)のセットの構成を送受信ポイント(TRP)から受信するための手段と、
ビーム障害回復プロシージャに関して、前記BWPのセットのうちのアクティブなBWPを使用するか、または前記BWPのセットのうちの別のBWPに切り替えるかを決定するための手段と、
前記決定に基づいて、前記ビーム障害回復プロシージャの間に前記決定されたBWP上で監視することまたは送信することのうちの少なくとも1つを行うための手段と
を含む、装置。
【請求項１５】
前記装置における動作状態を決定するための手段と、
前記決定された動作状態に少なくとも部分的に基づいて、前記アクティブなBWPを使用するか、または前記別のBWPに切り替えるかを決定するための手段と
をさらに含む、請求項14に記載の装置。
【請求項１６】
前記決定が、ランダムアクセスプロシージャをサポートするのが前記アクティブなBWPか前記別のBWPかに少なくとも部分的に基づく、請求項14に記載の装置。
【請求項１７】
前記装置に対するダウンリンク制御情報(DCI)または前記装置によるアップリンク送信の存在を決定するための手段であって、前記アクティブなBWPを使用するか、または前記別のBWPに切り替えるかの前記決定が、前記DCIまたは前記アップリンク送信の前記存在に少なくとも部分的に基づく、決定するための手段をさらに含む、請求項14に記載の装置。
【請求項１８】
しきい値を超える時間期間にわたる前記アクティブなBWP上のトラフィックの欠如を決定するための手段と、
前記決定されたトラフィックの欠如に基づいて、前記アクティブなBWPの変更についての要求を前記TRPに送信するための手段と
をさらに含む、請求項14に記載の装置。
【請求項１９】
前記BWPのセットに関連する、1つもしくは複数の同期信号(SS)または基準信号(RS)同士の間の疑似コロケート(QCL)関係の指示を受信するための手段をさらに含む、請求項14に記載の装置。
【請求項２０】
前記決定が、前記装置がコネクテッドモード間欠受信(C-DRX)モードであるかどうかに少なくとも部分的に基づく、請求項14に記載の装置。
【請求項２１】
前記構成が、監視するための1つもしくは複数の同期信号(SS)または基準信号(RS)の指示を含み、
前記監視することが、前記決定されたBWP内で前記指示されたSSまたはRSのうちの1つまたは複数を監視することをさらに含む
請求項14に記載の装置。
【請求項２２】
前記監視された1つまたは複数のSSに関連するアウトオブサービス(OOS)指示の数がしきい値よりも大きいと決定するための手段と、
前記1つまたは複数のRSを監視するために前記別のBWPに切り替えると決定するための手段と
をさらに含む、請求項21に記載の装置。
【請求項２３】
前記別のBWPが、SSおよびRSを含むか、またはRSを含むがSSは含まない、請求項22に記載の装置。
【請求項２４】
前記しきい値が、連続したOOS指示のしきい値数を含む、請求項22に記載の装置。
【請求項２５】
前記しきい値を前記TRPから受信するための手段
をさらに含む、請求項22に記載の装置。
【請求項２６】
前記切替えの後、無線リンク障害タイマをリセットするための手段
をさらに含む、請求項22に記載の装置。
【請求項２７】
ワイヤレス通信のための装置であって、
前記装置に対する帯域幅部分(BWP)のセットの構成を送受信ポイント(TRP)から受信するように構成された受信機と、
メモリに結合され、ビーム障害回復プロシージャに関して、前記BWPのセットのうちのアクティブなBWPを使用するか、または前記BWPのセットのうちの別のBWPに切り替えるかを決定するように構成された、少なくとも1つのプロセッサと、
前記決定に基づいて、前記ビーム障害回復プロシージャの間に前記決定されたBWP上で監視することまたは送信することのうちの少なくとも1つを行うように構成されたトランシーバと
を含む、装置。
【請求項２８】
前記少なくとも1つのプロセッサが、
前記装置における動作状態を決定することと、
前記決定された動作状態に少なくとも部分的に基づいて、前記アクティブなBWPを使用するか、または前記別のBWPに切り替えるかを決定することと
を行うようにさらに構成される、請求項27に記載の装置。
【請求項２９】
ワイヤレス通信のためのコンピュータ実行可能コードを記憶したコンピュータ可読記憶媒体であって、前記コードが、
ユーザ機器(UE)に対する帯域幅部分(BWP)のセットの構成を送受信ポイント(TRP)から受信するためのコードと、
ビーム障害回復プロシージャに関して、前記BWPのセットのうちのアクティブなBWPを使用するか、または前記BWPのセットのうちの別のBWPに切り替えるかを決定するためのコードと、
前記決定に基づいて、前記ビーム障害回復プロシージャの間に前記決定されたBWP上で監視することまたは送信することのうちの少なくとも1つを行うためのコードと
を含む、コンピュータ可読記憶媒体。
【請求項３０】
前記UEにおける動作状態を決定するためのコードと、
前記決定された動作状態に少なくとも部分的に基づいて、前記アクティブなBWPを使用するか、または前記別のBWPに切り替えるかを決定するためのコードと
をさらに含む、請求項29に記載のコンピュータ可読記憶媒体。
【発明の詳細な説明】
【技術分野】
【０００１】
関連出願の相互参照および優先権主張
本出願は、2018年1月12日に出願した米国仮特許出願第62/616,822号の優先権および利益を主張する、2019年1月11日に出願された米国出願第16/246,228号の優先権を主張し、その両方が、以下に完全に記載されるかのように、すべての適用可能な目的で、その全体が参照により本明細書に組み込まれる。
【０００２】
本開示の態様は、ワイヤレス通信に関し、より詳細には、動作のために、たとえば、無線リンク監視(RLM)、ビーム障害回復、無線リソース管理(RRM)、ランダムアクセス、または他の動作のために、アクティブな帯域幅部分(BWP)を切り替えるための技法に関する。
【背景技術】
【０００３】
ワイヤレス通信システムは、テレフォニー、ビデオ、データ、メッセージング、放送などの様々な電気通信サービスを提供するために広く展開されている。これらのワイヤレス通信システムは、利用可能なシステムリソース(たとえば、帯域幅、送信電力など)を共有することによって、複数のユーザとの通信をサポートすることができる多元接続技術を採用することができる。そのような多元接続システムの例は、いくつか例を挙げると第3世代パートナーシッププロジェクト(3GPP)ロングタームエボリューション(LTE)システム、LTEアドバンスト(LTE-A)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートすることができる、いくつかの基地局(BS)を含み得る。LTEネットワークまたはLTE-Aネットワークでは、1つまたは複数の基地局のセットがeNodeB(eNB)として定義されてもよい。他の例では(たとえば、次世代ネットワーク、ニューラジオ(NR)ネットワーク、または5Gネットワークでは)、ワイヤレス多元接続通信システムは、いくつかの中央ユニット(CU)(たとえば、中央ノード(CN)、アクセスノードコントローラ(ANC)など)と通信しているいくつかの分散ユニット(DU)(たとえば、エッジユニット(EU)、エッジノード(EN)、ラジオヘッド(RH)、スマートラジオヘッド(SRH)、送受信ポイント(TRP)など)を含んでもよく、CUと通信する1つまたは複数のDUのセットは、アクセスノード(たとえば、BS、5G NB、次世代NodeB(gNBまたはgNodeB)、送受信ポイント(TRP)などと呼ばれることがある)を定義してもよい。BSまたはDUは、(たとえば、BSまたはDUからUEへの送信のための)ダウンリンクチャネル上で、および(たとえば、UEからBSまたはDUへの送信のための)アップリンクチャネル上で、UEのセットと通信し得る。
【０００５】
これらの多元接続技術は、異なるワイヤレスデバイスが都市、国家、地域、さらには地球規模で通信することを可能にする共通プロトコルを提供するために、様々な電気通信規格において採用されている。NR(たとえば、ニューラジオまたは5G無線アクセス)は、新しい電気通信規格の一例である。NRは、3GPPによって公表されたLTEモバイル規格の拡張のセットである。NRは、スペクトル効率を改善し、コストを下げ、サービスを改善し、新たなスペクトルを利用し、ダウンリンク(DL)上およびアップリンク(UL)上でサイクリックプレフィックス(CP:cyclic prefix)とともにOFDMAを使用する他のオープン規格とより良く統合することによって、モバイルブロードバンドインターネットアクセスをより良くサポートするように設計されている。これらの目的で、NRは、ビームフォーミング、多入力多出力(MIMO)アンテナ技術、およびキャリアアグリゲーションをサポートする。
【０００６】
しかしながら、モバイルブロードバンドアクセスに対する需要が増大し続けるにつれて、NR技術およびLTE技術におけるさらなる改善が必要である。好ましくは、これらの改善は、他の多元接続技術、およびこれらの技術を採用する電気通信規格に適用可能であるべきである。
【発明の概要】
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に論じる。この議論を考察した後、詳細には「発明を実施するための形態」と題するセクションを読んだ後、本開示の特徴が、ワイヤレスネットワーク内のアクセスポイントと局との間の通信の改善を含む利点をどのようにもたらすかが理解されよう。
【０００８】
本開示のいくつかの態様は、一般に、たとえば、動作状態(たとえば、UEの動作モード)に少なくとも部分的に基づいて、ユーザ機器(UE)によって選択されるアクティブな帯域幅部分(BWP)の切替えを実行するための方法および装置に関する。いくつかの態様は、いくつかのシナリオでは、チャネル状態情報基準信号(CSI-RS)送信または他の送信を含む、構成されたアクティブなBWPを使用して、無線リンク監視(RLM)またはビーム障害回復を実行することに関する。
【０００９】
本開示のいくつかの態様は、たとえば、UEによって実行され得るワイヤレス通信のための方法を提供する。この方法は、一般に、UEに対するBWPのセットの構成を送受信ポイント(TRP)から受信するステップを含む。この方法は、ビーム障害回復プロシージャに関して、BWPのセットのうちのアクティブなBWPを使用するか、またはBWPのセットのうちの別のBWPに切り替えるかを決定するステップを含む。この方法は、その決定に基づいて、ビーム障害回復プロシージャの間に決定されたBWP上で監視および/または送信するステップを含む。
【００１０】
本開示のいくつかの態様は、ワイヤレス通信のための装置を提供する。この装置は、一般に、UEに対するBWPのセットの構成をTRPから受信するための手段を含む。この装置は、ビーム障害回復プロシージャに関して、BWPのセットのうちのアクティブなBWPを使用するか、またはBWPのセットのうちの別のBWPに切り替えるかを決定するための手段を含む。この装置は、その決定に基づいて、ビーム障害回復プロシージャの間に決定されたBWP上で監視および/または送信するための手段を含む。
【００１１】
本開示のいくつかの態様は、ワイヤレス通信のための装置を提供する。この装置は、一般に、UEに対するBWPのセットの構成をTRPから受信するように構成された受信機を含む。この装置は、メモリに結合され、ビーム障害回復プロシージャに関して、BWPのセットのうちのアクティブなBWPを使用するか、またはBWPのセットのうちの別のBWPに切り替えるかを決定するように構成された、少なくとも1つのプロセッサを含む。この装置は、その決定に基づいて、ビーム障害回復プロシージャの間に決定されたBWP上で監視および/または送信するように構成されたトランシーバを含む。
【００１２】
本開示のいくつかの態様は、ワイヤレス通信のためのコンピュータ実行可能コードを記憶したコンピュータ可読媒体を提供する。このコンピュータ可読媒体は、一般に、UEに対するBWPのセットの構成をTRPから受信するためのコードを含む。このコンピュータ可読媒体は、ビーム障害回復プロシージャに関して、BWPのセットのうちのアクティブなBWPを使用するか、またはBWPのセットのうちの別のBWPに切り替えるかを決定するためのコードを含む。このコンピュータ可読媒体は、その決定に基づいて、ビーム障害回復プロシージャの間に決定されたBWP上で監視および/または送信するためのコードを含む。
【００１３】
本開示のいくつかの態様は、たとえば、UEによって実行され得るワイヤレス通信のための別の方法を提供する。この方法は、一般に、第1のモードで動作している間にUEが監視するための1つまたは複数のアクティブなBWPの第1のセットを含む第1の構成をTRPから受信するステップを含む。この方法は、一般に、第2のモードで動作している間にUEが監視するための1つまたは複数のアクティブなBWPの第2のセットを含む第2の構成をTRPから受信するステップを含む。この方法は、一般に、UEの動作モードを決定するステップを含む。動作モードは、第1のモードまたは第2のモードのうちの1つを含む。第2のモードは、第1のモードと比較して低減された電力モードである。この方法は、一般に、決定された動作モードに少なくとも部分的に基づいて、1つもしくは複数のアクティブなBWPの第1のセットまたは1つもしくは複数のアクティブなBWPの第2のセットのうちの1つを監視するステップを含む。
【００１４】
本開示のいくつかの態様は、たとえば、TRPによって実行され得るワイヤレス通信のための方法を提供する。この方法は、一般に、第1のモードで動作している間にUEが監視するための1つまたは複数のアクティブなBWPの第1のセットを含む第1の構成をUEに送信するステップを含む。この方法は、一般に、第2のモードで動作している間にUEが監視するための1つまたは複数のアクティブなBWPの第2のセットを含む第2の構成をUEに送信するステップを含む。この方法は、一般に、UEの動作モードを決定するステップを含む。動作モードは、第1のモードまたは第2のモードのうちの1つを含む。第2のモードは、第1のモードと比較して低減された電力モードである。この方法は、一般に、決定された動作モードに少なくとも部分的に基づいて、1つもしくは複数のアクティブなBWPの第1のセットまたは1つもしくは複数のアクティブなBWPの第2のセットのうちの1つを使用して送信するステップを含む。
【００１５】
本開示のいくつかの態様は、たとえば、UEによって実行され得るワイヤレス通信のため方法を提供する。この方法は、一般に、監視するための1つまたは複数のBWPの第1の構成をTRPから受信するステップを含む。第1の構成は、同期信号(SS)を含みRSを含まない、1つまたは複数のBWPを有する。この方法は、一般に、1つまたは複数のBWPの第1の構成に関連するSSを監視するステップを含む。この方法は、一般に、監視されたSSに関連するアウトオブサービス(OOS:out of service)指示の数がしきい値よりも大きいと決定するステップを含む。この方法は、一般に、1つまたは複数のBWPの第1の構成に関連するSSの監視からBWPの異なる構成に関連するRSの監視に切り替えるステップを含む。
【００１６】
本開示のいくつかの態様は、たとえば、TRPによって実行され得るワイヤレス通信のための方法を提供する。この方法は、一般に、監視するための1つまたは複数のBWPの第1の構成をUEに送信するステップを含む。第1の構成は、SSを含みRSを含まない、1つまたは複数のBWPを含む。この方法は、一般に、1つまたは複数のBWPの第1の構成に関連するSSの監視からRSの監視にいつ切り替えるかの指示をUEに送信するステップを含む。
【００１７】
態様は、添付の図面を参照しながら本明細書に実質的に記載され、添付の図面によって示されるように、方法、装置、システム、コンピュータ可読媒体、および処理システムを含む。
【００１８】
上記の目的および関係する目的の達成のために、1つまたは複数の態様は、以下で十分に説明し、特に特許請求の範囲で指摘する特徴を備える。以下の説明および添付の図面は、1つまたは複数の態様のうちのいくつかの例示的な特徴を詳細に示す。しかしながら、これらの特徴は、様々な態様の原理が採用され得る様々な方法のうちのほんのいくつかを示すものである。
【００１９】
本開示の上記の特徴が詳細に理解できるように、図面にその一部が示される態様を参照することによって、上記で概略的に説明した内容についてより具体的な説明を行う場合がある。しかしながら、この説明は他の等しく効果的な態様に通じ得るので、添付の図面は、本開示のいくつかの典型的な態様のみを示し、したがって、本開示の範囲を限定するものと見なされるべきではないことに留意されたい。
【図面の簡単な説明】
【００２０】
【図１】本開示のいくつかの態様による、例示的な電気通信システムを概念的に示すブロック図である。
【図２】本開示のいくつかの態様による、分散型無線アクセスネットワーク(RAN)の例示的な論理アーキテクチャを示すブロック図である。
【図３】本開示のいくつかの態様による、分散型RANの例示的な物理アーキテクチャを示す図である。
【図４】本開示のいくつかの態様による、例示的な基地局(BS)およびユーザ機器(UE)の設計を概念的に示すブロック図である。
【図５】本開示のいくつかの態様による、通信プロトコルスタックを実装するための例を示す図である。
【図６】本開示のいくつかの態様による、ニューラジオ(NR)システムのためのフレームフォーマットの一例を示す図である。
【図７】本開示のいくつかの態様による、NR同期信号(NR-SS)送信およびチャネル状態情報RS(CSI-RS)送信の一例を示す図である。
【図８】本開示のいくつかの態様による、UEによって実行される例示的な動作を示す図である。
【図９】本開示のいくつかの態様による、UEによって実行される例示的な動作を示す図である。
【図１０】本開示のいくつかの態様による、送受信ポイント(TRP)によって実行される例示的な動作を示す図である。
【図１１】本開示のいくつかの態様による、UEによって実行される例示的な動作を示す図である。
【図１２】本開示のいくつかの態様による、TRPによって実行される例示的な動作を示す図である。
【図１３】本開示の態様による、本明細書で開示する技法のための動作を実行するように構成された様々な構成要素を含み得る通信デバイスを示す図である。
【発明を実施するための形態】
【００２１】
理解を促すために、可能な場合、図面に共通する同一要素を指すために、同一の参照番号が使用されている。特定の具陳なしに、一態様で開示する要素が他の態様に関して有利に利用される場合があると考えられる。
【００２２】
本開示の態様は、帯域幅部分(BWP)を使用するための技法および装置を提供する。NRは、BWPの導入によってUEの動作帯域幅を適応的に調整するための機構を提供する。例示のために、ユーザ機器(UE)に総BWのサブセットまたは部分が割り振られ得る。BWPは、ダウンリンクBWPとアップリンクBWPとを含み得る。UEと送受信ポイント(TRP)との間の通信は、アクティブなBWPを使用して生じる。UEは、アクティブなBWPの構成された周波数範囲の外部で送信または受信することが必要とされないことがある。アクティブなBWPの概念は、エネルギー効率を改善する。
【００２３】
NRでは、UEはアクティブなDL BWPの外部で無線リンク管理(RLM)を実行することが必要とされないことが合意されている。(RLMのための)プライマリセルのダウンリンク無線リンク品質は、同期外れ/同期状態を上位レイヤに示すためにUEによって監視される。いくつかの例では、UEは、プライマリセル上でアクティブ化されたDL BWP以外のDL BWPのダウンリンク無線リンク品質を監視することが必要とされない。
【００２４】
いくつかのシナリオでは、アクティブなBWPは、同期信号(SS)を含まない場合がある。UEがアクティブなDL BWPの外部でRLMを実行することを必要とされないとすれば、ネットワークは、UEがRLMを実行するためにアクティブなBWP上で送信するための基準信号(たとえば、CSI-RS)を構成する必要があり得、これは、以下でより詳細に説明するように、リソース効率が低い。
【００２５】
いくつかのシナリオでは、アクティブなBWPは、SSを含み、RSを含まなくてよい。RSと比較してSSのより低いビームフォーミング利得により、UEは、UEがBWP内でRSを監視した場合、UEが観測しなかった可能性があるSSを監視することによって、ダウンリンク無線リンク品質問題を観測することができる。
【００２６】
本開示の態様は、たとえば、これらのシナリオ、および他のシナリオに対処するためにアクティブなBWPを切り替え、それにより、アクティブなBWPを使用したRLM動作および/またはビーム障害回復動作などの動作を改善するための方法および装置を提供する。
【００２７】
以下の説明は例を提供するものであり、特許請求の範囲に記載された範囲、適用可能性、または例を限定するものではない。本開示の範囲から逸脱することなく、説明する要素の機能および構成に変更が加えられてもよい。様々な例は、必要に応じて、様々な手順または構成要素を省略、置換、または追加してもよい。たとえば、説明する方法は、説明する順序とは異なる順序で実行されることがあり、様々なステップが追加、省略、または組み合わされることがある。また、いくつかの例に関して説明する特徴は、いくつかの他の例において組み合わされることがある。たとえば、本明細書に記載の任意の数の態様を使用して、装置が実装されてもよく、または方法が実践されてもよい。加えて、本開示の範囲は、本明細書に記載した本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「一例、事例、または例示としての働きをすること」を意味するために使用される。本明細書で「例示的」と説明される任意の態様は、必ずしも他の態様よりも好ましいまたは有利であると解釈されるべきではない。
【００２８】
本明細書で説明する技法は、LTE、CDMA、TDMA、FDMA、OFDMA、SC-FDMAおよび他のネットワークなどの様々なワイヤレス通信技術に使用することができる。「ネットワーク」および「システム」という用語は、しばしば互換的に使用される。CDMAネットワークは、ユニバーサル地上無線アクセス(UTRA)、cdma2000などの無線技術を実装することがある。UTRAは、広帯域CDMA(WCDMA(登録商標))およびCDMAの他の変形態を含む。cdma2000は、IS-2000規格、IS-95規格、およびIS-856規格を対象とする。TDMAネットワークはモバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE802.11(Wi-Fi)、IEEE802.16(WiMAX)、IEEE802.20、Flash-OFDMAなどの無線技術を実装してもよい。UTRAおよびE-UTRAは、ユニバーサルモバイルテレコミュニケーションシステム(UMTS)の一部である。
【００２９】
ニューラジオ(NR)は、5G技術フォーラム(5GTF)とともに開発中の新しいワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-A、およびGSM(登録商標)は、「第3世代パートナーシッププロジェクト」(3GPP)と称する組織からの文書に記載されている。cdma2000およびUMBは、「第3世代パートナーシッププロジェクト2」(3GPP2)と称する組織からの文書に記載されている。本明細書で説明する技法は、上述のワイヤレスネットワークおよび無線技術、ならびに他のワイヤレスネットワークおよび無線技術のために使用され得る。明快のために、一般的に3Gおよび/または4Gワイヤレス技術に関連付けられた用語を使用して態様について本明細書で説明することがあるが、本開示の態様は、NR技術を含めて、5G以降のものなどの他の世代ベースの通信システムにおいて適用され得る。
【００３０】
例示的なワイヤレス通信システム
図1は、本開示の態様が実装され得る例示的なワイヤレス通信ネットワーク100を示す。たとえば、ワイヤレスネットワークは、ニューラジオ(NR)または5Gネットワークであり得る。本明細書でより詳細に説明するように、ワイヤレス通信ネットワーク100内のUE120は、アクティブなBWPの1つまたは複数のセットで構成され得る。UE120は、DL監視およびUL送信のための1つまたは複数のBWPを選択することができ、たとえば、UE120は、動作状態に基づいて、いくつかの動作に対して異なるアクティブなBWPに切り替えることができる。別の例によれば、UE120は、NR-SSなどの同期信号を含むがRSを含まないBWPの監視から、NR-SSおよびRSを含む、異なるBWPの監視、またはRSを含みNR-SSを含まない、異なるBWPの監視に切り替えることができる。本明細書で説明するように、RS(CSI-RSなど)と比較してNR-SS送信に関連するより低いビームフォーミング利得により、UEは、NR-SSを監視し、CSI-RSを監視しないことによって低減されたセルカバレージを観測し得る。
【００３１】
UE120は、アクティブなBWPを使用したRLM動作に関して、本明細書で説明し以下でより詳細に論じる動作900および1100ならびに他の方法を実行するように構成され得る。BS110は、送受信ポイント(TRP)、ノードB(NB)、eNB、アクセスポイント(AP)、ニューラジオ(NR)BS、gNodeB、5GNBなどを含み得る。NRネットワーク100は、中央ユニットを含み得る。BS110は、UEによって実行される動作に対して相補的動作を実行し得る。BS110は、BWPを使用する動作に関して本明細書で説明する動作1000および1200ならびに他の方法を実行し得る。
【００３２】
図1に示すように、ワイヤレス通信ネットワーク100は、いくつかの基地局(BS)110と他のネットワークエンティティとを含み得る。BSは、ユーザ機器(UE)と通信する局であり得る。各BS110は、特定の地理的領域に通信有効範囲を提供し得る。3GPPでは、「セル」という用語は、この用語が使用される状況に応じて、このカバレージエリアにサービスしているノードB(NB)および/またはNBサブシステムのカバレージエリアを指すことがある。NRシステムでは、「セル」および次世代NodeB(gNBまたはgNodeB)、NR BS、5G NB、アクセスポイント(AP)、または送信受信ポイント(TRP)という用語は交換可能であり得る。いくつかの例では、セルは、必ずしも静止しているとは限らないことがあり、セルの地理的エリアは、モバイルBSのロケーションに従って移動し得る。いくつかの例では、基地局は、任意の好適なトランスポートネットワークを使用して、直接物理接続、ワイヤレス接続、仮想ネットワークなど、様々なタイプのバックホールインターフェースを通して、ワイヤレス通信ネットワーク100内で互いに、および/または1つまたは複数の他の基地局もしくはネットワークノード(図示せず)に相互接続され得る。
【００３３】
一般に、任意の数のワイヤレスネットワークが、所与の地理的エリアにおいて展開される場合がある。各ワイヤレスネットワークは、特定の無線アクセス技術(RAT)をサポートしてもよく、1つまたは複数の周波数で動作してもよい。RATは、無線技術、エアインターフェースなどと呼ばれることもある。周波数は、キャリア、サブキャリア、周波数チャネル、トーン、サブバンドなどと呼ばれることもある。各周波数は、異なるRATのワイヤレスネットワーク間の干渉を回避するために、所与の地理的領域において単一のRATをサポートしてもよい。場合によっては、NRまたは5G RATネットワークが展開され得る。
【００３４】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてもよい。ピコセルは、比較的小さい地理的エリアをカバーすることができ、サービスに加入しているUEによる無制限アクセスを可能にしてもよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてもよい。マクロセルのためのBSは、マクロBSと呼ばれることがある。ピコセルのためのBSは、ピコBSと呼ばれることがある。また、フェムトセルのためのBSは、フェムトBSまたはホームBSと呼ばれることがある。図1に示す例では、BS110a、110b、および110cは、それぞれ、マクロセル102a、102b、および102cに関するマクロBSであってもよい。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてもよい。
【００３５】
ワイヤレス通信ネットワーク100はまた、中継局を含み得る。中継局は、アップストリーム局(たとえば、BSまたはUE)からデータおよび/または他の情報の送信を受信し、ダウンストリーム局(たとえば、UEまたはBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信してもよい。中継局はまた、リレーBS、リレーなどとも呼ばれることもある。
【００３６】
ワイヤレス通信ネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレス通信ネットワーク100中の干渉に対する異なる影響を有してもよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００３７】
ワイヤレス通信ネットワーク100は、同期動作または非同期動作をサポートすることができる。同期動作の場合、BSは、同様のフレームタイミングを有することができ、異なるBSからの送信は、時間的にほぼ整合させることができる。非同期動作の場合、BSは、異なるフレームタイミングを有する場合があり、異なるBSからの送信は、時間的に整合していない場合がある。本明細書で説明する技法は、同期動作と非同期動作の両方に使用されてもよい。
【００３８】
ネットワークコントローラ130は、BSのセットに結合し、これらのBSのための調整および制御を実現してもよい。ネットワークコントローラ130は、バックホールを介してBS110と通信し得る。BS110はまた、(たとえば、直接的または間接的に)ワイヤレスバックホールまたはワイヤラインバックホールを介して互いに通信し得る。
【００３９】
UE120(たとえば、120x、120yなど)は、ワイヤレス通信ネットワーク100の全体にわたって分散されてよく、各UEは静止であってよく、またはモバイルであってもよい。UEは、移動局、端末、アクセス端末、加入者ユニット、局、カスタマ構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレットコンピュータ、カメラ、ゲームデバイス、ネットブック、スマートブック、ウルトラブック、アプライアンス、医療デバイスまたは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体またはワイヤード媒体を介して通信するように構成された任意の他の好適なデバイスと呼ばれる場合もある。一部のUEは、マシンタイプ通信(MTC)デバイスまたは発展型MTC(eMTC)デバイスと見なされる場合がある。MTC UEおよびeMTC UEは、BS、別のデバイス(たとえば、遠隔デバイス)、または何らかの他のエンティティと通信することができる、たとえば、ロボット、ドローン、遠隔デバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットまたはセルラーネットワークなどのワイドエリアネットワーク)のための接続性、またはネットワークへの接続性を提供し得る。一部のUEは、モノのインターネット(IoT)デバイスと見なされ得、モノのインターネット(IoT)デバイスは、狭帯域IoT(NB-IoT)デバイスであり得る。
【００４０】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データによって変調されてもよい。一般に、変調シンボルは、OFDMでは周波数ドメインにおいて、SC-FDMでは時間ドメインにおいて送られる。隣接するサブキャリア同士の間の間隔は固定される場合があり、サブキャリアの総数(K)は、システム帯域幅に依存する場合がある。たとえば、サブキャリアの間隔は15kHzであってもよく、最小のリソース割振り(「リソースブロック」(RB)と呼ばれる)は12個のサブキャリア(または180kHz)であってもよい。結果的に、公称の高速フーリエ変換(FFT)サイズは、1.25、2.5、5、10、または20メガヘルツ(MHz)のシステム帯域幅に対して、128、256、512、1024、または2048にそれぞれ等しい場合がある。システム帯域幅はまた、サブバンドに区分されてもよい。たとえば、サブバンドは、1.08MHz(すなわち、6個のリソースブロック)をカバーすることができ、1.25、2.5、5、10、または20MHzのシステム帯域幅に対して、それぞれ、1、2、4、8、または16個のサブバンドが存在し得る。
【００４１】
本明細書で説明する例の態様はLTE技術に関連し得るが、本開示の態様は、NRなど、他のワイヤレス通信システムに適用可能であり得る。NRは、アップリンクおよびダウンリンク上でCPを用いてOFDMを利用することができ、TDDを使用して半二重動作に対するサポートを含み得る。ビームフォーミングがサポートされ得、ビーム方向が動的に構成され得る。プリコーディングを用いたMIMO送信もサポートされ得る。DLにおけるMIMO構成は、最高で8個のストリームおよびUEごとに最高で2個のストリームを用いたマルチレイヤDL送信で最高で8個の送信アンテナをサポートし得る。UEごとに最高で2個のストリームを用いたマルチレイヤ送信がサポートされ得る。最高で8個のサービングセルを用いて複数のセルのアグリゲーションがサポートされ得る。
【００４２】
いくつかの例では、エアインターフェースに対するアクセスがスケジュールされ得る。スケジューリングエンティティ(たとえば、BS)は、いくつかのまたはすべてのデバイスおよびそのサービスエリアまたはセル内の機器の間の通信のためにリソースを割り振る。スケジューリングエンティティは、1つまたは複数の従属エンティティのためのリソースのスケジューリング、割当て、再構成、および解放を担い得る。すなわち、スケジュールされた通信のために、従属エンティティは、スケジューリングエンティティによって割り振られるリソースを利用する。基地局は、スケジューリングエンティティとして機能し得る唯一のエンティティではない。いくつかの例では、あるUEは、スケジューリングエンティティとして機能することができ、1つまたは複数の従属エンティティ(たとえば、1つまたは複数の他のUE)のためのリソースをスケジュールすることができ、その他のUEは、ワイヤレス通信のためにあるUEによってスケジュールされたリソースを利用することができる。いくつかの例では、UEは、ピアツーピア(P2P)ネットワーク内、および/またはメッシュネットワーク内で、スケジューリングエンティティとして機能し得る。メッシュネットワーク例では、UEは、スケジューリングエンティティと通信することに加えて、互いに直接通信し得る。
【００４３】
図1では、両側に矢印がある実線は、UEとサービングBSとの間の所望の送信を示し、BSは、ダウンリンクおよび/またはアップリンク上でUEにサービスするように指定されたeNBである。両側に矢印がある細い破線は、UEとBSとの間の干渉送信を示す。
【００４４】
図2は、図1に示したワイヤレス通信ネットワーク100内で実装され得る分散無線アクセスネットワーク(RAN)200の例示的な論理アーキテクチャを示す。5Gアクセスノード206は、アクセスノードコントローラ(ANC)202を含み得る。ANC202は分散RAN200の中央ユニット(CU)であってよい。次世代コアネットワーク(NG-CN)204に対するバックホールインターフェースはANC202において終結し得る。隣接の次世代アクセスノード(NG-AN)210に対するバックホールインターフェースはANC202において終結し得る。ANC202は、1つまたは複数のTRP208(たとえば、セル、BS、gNBなど)を含むことができる。
【００４５】
TRP208は、分散ユニット(DU)であり得る。TRP208は、単一のANC(たとえば、ANC202)に接続されてよく、または2つ以上のANC(図示せず)に接続されてもよい。たとえば、RAN共有、ラジオアズアサービス(RaaS:radio as a service)などの無線、およびサービス固有のAND展開の場合、TRP208は2つ以上のANCに接続され得る。TRP208はそれぞれ、1つまたは複数のアンテナポートを含んでもよい。TRP208は、個々に(たとえば、動的選択)または一緒に(たとえば、ジョイント送信)UEに対するトラフィックをサービスするように構成され得る。
【００４６】
分散RAN200の論理アーキテクチャは、異なる展開タイプにわたるフロントホールソリューションをサポートし得る。たとえば、論理アーキテクチャは、送信ネットワーク容量(たとえば、帯域幅、レイテンシ、および/またはジッタ)に基づき得る。
【００４７】
分散RAN200の論理アーキテクチャは、機能および/または構成要素をLTEと共有し得る。たとえば、次世代アクセスノード(NG-AN)210は、NRとの二重接続性をサポートすることができ、LTEおよびNRに対する共通フロントホールを共有し得る。
【００４８】
分散RAN200の論理アーキテクチャは、ANC202を介して、TRP208同士の間の、たとえば、TRP内の、かつ/またはTRPにわたる協働を可能にし得る。TRP間インターフェースは使用されなくてよい。
【００４９】
論理機能は、分散RAN200の論理アーキテクチャ内で動的に分散され得る。図5を参照してより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DU(たとえば、TRP208)またはCU(たとえば、ANC202)に適応可能に位置し得る。
【００５０】
図3は、本開示のいくつかの態様による、分散RAN300の1つの例示的な物理アーキテクチャを示す。集中型コアネットワークユニット(C-CU)302は、コアネットワーク機能をホストし得る。C-CU302は、中央に展開され得る。C-CU302機能は、ピーク容量を処理するために、(たとえば、アドバンストワイヤレスサービス(AWS)に)オフロードされ得る。
【００５１】
集中型RANユニット(C-RU)304は、1つまたは複数のANC機能をホストし得る。オプションで、C-RU304は、コアネットワーク機能をローカルにホストし得る。C-RU304は、分散型展開を有し得る。C-RU304は、ネットワークエッジに近くてもよい。
【００５２】
DU306は、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００５３】
図4は、本開示の態様を実装するために使用され得る、(図1に示すような)BS110およびUE120の例示的な構成要素を示す。たとえば、UE120のアンテナ452、プロセッサ466、458、464、および/もしくはコントローラ/プロセッサ480、ならびに/またはBS110のアンテナ434、プロセッサ420、430、438、および/もしくはコントローラ/プロセッサ440は、本明細書で説明し、図8〜図12を参照して示す、様々な技法および方法を実行するために使用され得る。
【００５４】
BS110において、送信プロセッサ420は、データソース412からデータを受信し、コントローラ/プロセッサ440から制御情報を受信することができる。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)、グループ共通PDCCH(GC PDCCH)などに関する場合がある。データは、物理ダウンリンク共有チャネル(PDSCH)などに関する場合がある。プロセッサ420は、データおよび制御情報を処理(たとえば、符号化およびシンボルマッピング)して、それぞれ、データシンボルおよび制御シンボルを取得することができる。プロセッサ420はまた、たとえば、プライマリ同期信号(PSS)、セカンダリ同期信号(SSS)、およびセル固有基準信号(CRS)に関する基準シンボルを生成してもよい。送信(TX)多入力多出力(MIMO)プロセッサ430は、適用可能な場合、データシンボル、制御シンボル、および/または基準シンボルに対する空間処理(たとえば、プリコーディング)を実行することができ、変調器(MOD)432a〜432tに出力シンボルストリームを提供することができる。各変調器は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタ処理、およびアップコンバート)し、ダウンリンク信号を取得してもよい。変調器432a〜432tからのダウンリンク信号は、それぞれ、アンテナ434a〜434tを介して送信されてもよい。
【００５５】
UE120において、アンテナ452a〜452rは、基地局110からダウンリンク信号を受信してもよく、受信信号を、それぞれトランシーバ内の復調器(DEMOD)454a〜454rに提供してもよい。各復調器454は、それぞれの受信信号を調整(たとえば、フィルタ処理、増幅、ダウンコンバート、およびデジタル化)し、入力サンプルを取得することができる。各復調器は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。受信プロセッサ458は、検出されたシンボルを処理(たとえば、復調、デインターリーブ、および復号)し、UE120のための復号されたデータをデータシンク460に提供し、復号制御情報をコントローラ/プロセッサ480に提供することができる。
【００５６】
アップリンク上では、UE120において、送信プロセッサ464が、データソース462からの(たとえば、物理アップリンク共用チャネル(PUSCH)のための)データと、コントローラ/プロセッサ480からの(たとえば、物理アップリンク制御チャネル(PUCCH)のための)制御情報とを受信し、処理することができる。送信プロセッサ464はまた、基準信号のための(たとえば、サウンディング基準信号(SRS)のための)基準シンボルを生成することができる。送信プロセッサ464からのシンボルは、適用可能な場合、TX MIMOプロセッサ466によってプリコーディングされ、(たとえば、SC-FDM用などに)トランシーバ内の復調器454a〜454rによってさらに処理され、基地局110に送信され得る。BS110において、UE120からのアップリンク信号は、アンテナ434によって受信され、変調器432によって処理され、適用可能な場合、MIMO検出器436によって検出され、受信プロセッサ438によってさらに処理されて、UE120によって送られた復号されたデータおよび制御情報を取得することができる。受信プロセッサ438は、復号データをデータシンク439に供給し、復号制御情報をコントローラ/プロセッサ440に供給することができる。
【００５７】
コントローラ/プロセッサ440および480は、それぞれBS110およびUE120における動作を指示し得る。プロセッサ440ならびに/またはBS110における他のプロセッサおよびモジュールは、本明細書で説明する技法のためのプロセスを実行するか、またはプロセスの実行を指示することができる。メモリ442および482は、それぞれ、BS110およびUE120に関するデータおよびプログラムコードを記憶することができる。スケジューラ444は、ダウンリンクおよび/またはアップリンク上でのデータ送信のためにUEをスケジュールし得る。
【００５８】
図5は、本開示の態様による、通信プロトコルスタックを実装するための例を示す図500を示す。示された通信プロトコルスタックは、5Gシステム(たとえば、アップリンクベースのモビリティをサポートするシステム)など、ワイヤレス通信システム内で動作するデバイスによって実装され得る。図500は、RRCレイヤ510、PDCPレイヤ515、RLCレイヤ520、MACレイヤ525、およびPHYレイヤ530を含む、通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/またはDU)またはUEのためのプロトコルスタックの中で使用されてよい。
【００５９】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、中央ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００６０】
第2のオプション505-bは、プロトコルスタックが単一のネットワークアクセスデバイスの中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、たとえば、フェムトセル配置において有用であり得る。
【００６１】
ネットワークアクセスデバイスがプロトコルスタックの一部を実装するのかまたはプロトコルスタックの全部を実装するのかにかかわらず、UEは、505-cに示すような全プロトコルスタック(たとえば、RRCレイヤ510、PDCPレイヤ515、RLCレイヤ520、MACレイヤ525、およびPHYレイヤ530)を実装してよい。
【００６２】
LTEでは、基本送信時間間隔(TTI)またはパケット持続時間は1msサブフレームである。NRでは、サブフレームは依然として1msであるが、基本TTIはスロットと呼ばれる。サブフレームは、サブキャリア間隔に応じて、可変数のスロット(たとえば、1、2、4、8、16、...個のスロット)を含む。NR RBは、12個の連続する周波数サブキャリアである。NRは、15kHzのベースサブキャリア間隔をサポートすることができ、ベースサブキャリア間隔、たとえば、30kHz、60kHz、120kHz、240kHzなどに関して他のサブキャリア間隔が定義されてもよい。シンボルおよびスロット長は、サブキャリア間隔に対応する。CP長もやはりサブキャリア間隔に依存する。
【００６３】
図6は、NRのためのフレームフォーマット600の一例を示す図である。ダウンリンクおよびアップリンクの各々に対する送信タイムラインは、無線フレームの単位に区分されてもよい。各無線フレームは、所定の持続時間(たとえば、10ms)を有してもよく、0〜9というインデックスを有する、各々が1msの10個のサブフレームに区分されてもよい。各サブフレームは、サブキャリア間隔に応じて、可変数のスロットを含み得る。各スロットは、サブキャリア間隔に応じて、可変数のシンボル期間(たとえば、7個から14個のシンボル)を含み得る。各スロット内のシンボル期間は、インデックスを割り当てられ得る。サブスロット構造と呼ばれることがあるミニスロットは、1スロット(たとえば、2、3または4個のシンボル)よりも短い持続時間を有する送信時間間隔を指す。
【００６４】
スロット内の各シンボルは、データ送信のためのリンク方向(たとえば、DL、UL、またはフレキシブル)を示し得、各サブフレームに関するリンク方向を動的に切り替えることができる。リンク方向は、スロットフォーマットに基づき得る。各スロットは、DL/ULデータならびにDL/UL制御情報を含み得る。
【００６５】
NRにおいて、同期信号(SS)ブロックが送信される。SSブロックは、PSS、SSS、および2個のシンボルPBCHを含む。SSブロックは、図6に示すように、シンボル0〜3など、固定スロットロケーション内で送信され得る。PSSおよびSSSは、セル探索およびセル捕捉のためにUEによって使用されてもよい。PSSは、ハーフフレームタイミングを提供することができ、SSは、CP長およびフレームタイミングを提供することができる。PSSおよびSSSは、セル識別情報を提供し得る。PBCHは、ダウンリンクシステム帯域幅、無線フレーム内のタイミング情報、SSバーストセット周期性、システムフレーム番号など、何らかの基本システム情報を搬送する。SSブロックは、ビーム掃引をサポートするために、SSバーストに編成され得る。残存最小システム情報(RMSI:remaining minimum system information)、システム情報ブロック(SIB)、他のシステム情報(OSI)など、さらなるシステム情報が、いくつかのサブフレーム内で物理ダウンリンク共有チャネル(PDSCH)上で送信され得る。SSブロックは、たとえば、mmWに対して最高で64個の異なるビーム方向で、最高で64回送信され得る。最高で64回のSSブロック送信は、SSバーストセットと呼ばれる。SSバーストセット内のSSブロックは、同じ周波数領域内で送信され、異なるSSバーストセット内のSSブロックは異なる周波数ロケーションで送信され得る。
【００６６】
いくつかの状況では、2つ以上の下位エンティティ(たとえば、UE)はサイドリンク信号を使用して互いと通信することができる。そのようサイドリンク通信の現実世界の適用例は、公共安全、近接サービス、UE-ネットワーク中継、車両間(V2V)通信、あらゆるモノのインターネット(IoE)通信、IoT通信、ミッションクリティカルなメッシュ、および/または様々な他の好適な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある下位エンティティ(たとえば、UE1)から別の下位エンティティ(たとえば、UE2)に通信される信号を指す場合がある。いくつかの例では、サイドリンク信号は、(一般に、免許不要スペクトルを使用するワイヤレスローカルエリアネットワークとは異なり)認可スペクトルを使用して通信され得る。
【００６７】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作することが可能である。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００６８】
帯域幅部分(BWP)の切替えに伴う例示的な動作
ニューラジオ(たとえば、5G NR)では、ユーザ機器(UE)は、アクティブなダウンリンク(DL)帯域幅部分(BWP)の外部で無線リンク監視(RLM)測定を実行することが必要とされないことが合意されている。具体的には、(たとえば、RLM動作に関する)プライマリセルのダウンリンク無線リンク品質は、UEによって監視され得る。UEは、監視される無線リンク品質に基づいて、上位レイヤに対する同期外れ(OOS)状態または同期状態を示す。UEは、プライマリセル上でアクティブ化されたDL BWP以外のDL BWPのダウンリンク無線リンク品質を監視することが必要とされないことがある。
【００６９】
一例として、ネットワーク(たとえば、送受信ポイント(TRP))は、4つのBWPでUEを構成することができ、4つのBWPのうちの1つのみが所与の時間にアクティブである。UEは、アクティブなDL BWP上でダウンリンク無線リンク品質を監視し、同期状態またはOOS状態を上位レイヤに送信する。UEは、アクティブ化されたDL BWPを使用してネットワークによって送信された1つまたは複数の信号の監視に基づいて、その状態を決定する。
【００７０】
UEはそのアクティブなBWPが外部でRLM測定を実行することが必要とされないため、アクティブなBWPが同期信号(たとえば、NR-SS)を含まないときに問題が発生する可能性がある。一例として、UEのグループは、一定のアクティブなBWPで構成され、これは、UEのそのグループに対してアクティブである周波数領域が存在することを意味する。SSがその周波数領域(BWP)に対して構成されていない場合、ネットワークは、RLMのために使用するために、アクティブなBWP内のUEに関するそのBWP内で1つまたは複数のRS(たとえば、チャネル状態情報RS(CSI-RS))を構成しなければならない場合がある。
【００７１】
さらに、UEが低電力状態に遷移し、構成されたアクティブなBWPがSS送信を含まないとき、ネットワークは、UEが低電力状態であるとしても、依然としてRSを送信し得る。一例では、UEは、アクティブモードであり得、アクティブモード(たとえば、非低電力モード)から低電力モードに移ることができる。いくつかの例では、アクティブモードは、非間欠受信(DRX)モードであり得、低電力モードは、コネクテッドモード間欠受信(C-DRX)モードであり得る。低電力モードでは、UEは、RSを監視するためにすべてのDRX「オン」持続時間に起動し得る。上記で説明したように、ネットワークは、UEのアクティブなBWP内にSSが含まれていない(たとえば、送信されていない)とき、UEがRLMのために使用し得るRSを送信する。
【００７２】
UEが低電力状態で動作している間にCSI-RSなどのRSを送信することは、リソース効率が低く、システムスループットに悪影響を及ぼすが、これは、データをアクティブには受信していない低電力状態のUEに対して制限されたスペクトルの部分が使用されるためである。
【００７３】
場合によっては、SS送信およびRS送信は、異なる特性を有する。UEのグループは、SS(たとえば、NR-SS)を含みRS(たとえば、CSI-RS)を含まない、アクティブなBWPで構成され得る。NR-SSは、RLM RSリソースの一部分として構成され得、RLM RSリソースは、NR-SSを含むがCSI-RSを含まない。以下で説明するように、NR-SSのより低いビームフォーミング利得により、UEは、CSI-RSがRLM RSリソースの部分として構成された場合よりも早期にダウンリンク無線リンク品質問題を観測し得る。
【００７４】
図7は、ビームフォーミングされた通信の一例700を示す。TRP(たとえば、次世代NodeB(gNB)、基地局(BS)など)702は、アクティブなビームおよびアクティブなBWPを使用してUE704と通信する。TRPは、ビーム706を使用して、NR-SSなどのSSを送信する。NR-SSは、NRプライマリ同期信号(NR-PSS)、NRセカンダリ同期信号(NR-SSS)、および変調基準信号(DM-RS)を含み得る。TRPは、ビーム708を使用して、CSI-SSなどの基準信号を送信する。図7に示すように、NR-SSのより低いビームフォーミング利得は、UEに対するセルカバレージを効果的に縮小させる。したがって、NR-SSのみを監視するとき、UEは、UEがCSI-RSを監視するように構成された場合と比較してより早期に無線リンク問題を観測し得る。
【００７５】
したがって、本開示の態様は、RLM、ビーム障害回復、無線リソース管理(RRM)、ランダムアクセス、および/または他の動作のためなど、BWP切替えに伴う動作のための技法および装置を提供する。
【００７６】
いくつかの態様によれば、UEは、BWPのセット(たとえば、1つまたは複数)で構成される。UEは、TRPから構成を受信することができる。BWPの構成されたセットは、UL BWPおよびBL BWPの任意の組合せを含み得る。
【００７７】
いくつかの態様によれば、構成されたBWPの間で、第1の動作状態(たとえば、動作モード)のためのアクティブなBWPのセットおよび第2の動作状態(たとえば、動作モード)のためのBWPの別のセットがUEに示される。
【００７８】
いくつかの例では、第1の動作状態は、非DRXモードなど、より高い電力動作モードであり得、第2のモード動作状態は、C-DRXモードなど、第1のモードと比較して低減された電力モードであり得る。たとえば、UEは、BWP1、2、3、および4で構成され得る。任意の所与の時点で、BWP1、2、3、および4のうちの1つまたは複数は、アクティブであり得る。UEは、TRPを介して、BWP1および2が第1の動作モードに対してアクティブであり、BWP3および4が第2の動作モードに対してアクティブであるという指示をネットワークから受信し得る。UEは、第1および第2の動作モードの各々に対してアクティブなUL BWPの指示を受信することもできる。UEは、その動作状態を決定し、対応するDL BWPおよびUL BWPを使用し得る。
【００７９】
動作状態に基づいてUEがBWPを切り替えるための、本明細書で提供するいくつかの態様は、RLMの目的で論じられるが、UEは、ビーム障害回復動作、接続モードモビリティ(たとえば、無線リソース管理(RRM))、ランダムアクセスなどに関する動作状態に基づいて、BWPを切り替えるために同様の技法を適用し得る。
【００８０】
図8、図9、および図11は、本開示のいくつかの態様による、ワイヤレス通信のための例示的な動作800、900、および1100を示す流れ図を提供する。動作800、900、および/または1100は、たとえば、(たとえば、ワイヤレス通信ネットワーク100内のUE120などの)UEによって実行され得る。動作800、900、および/または1100は、1つまたは複数のプロセッサ(たとえば、図4のプロセッサ480)上で実行され(executed)、実行される(run)ソフトウェア構成要素として実装され得る。さらに、動作800におけるUEによる信号の送信および受信は、たとえば、1つまたは複数のアンテナ(たとえば、図4のアンテナ452)によって可能にされ得る。いくつかの態様では、UEによる信号の送信および/または受信は、信号を取得および/または出力する1つまたは複数のプロセッサ(たとえば、プロセッサ480)のバスインターフェースを介して実装され得る。
【００８１】
動作800は、802において、UEに対するBWPのセットの構成をTRPから受信することによって開始し得る。
【００８２】
いくつかの例では、UEは、第1の動作状態で(たとえば、第1のモードで)監視するための1つまたは複数のアクティブなBWPの第1のセット、および第2の動作状態で(たとえば、第1のモードと比較して低減された電力モードであり得る第2のモードで)監視するための1つまたは複数のアクティブなBWPの第2のセットで構成され得る。
【００８３】
一例として、1つまたは複数のBWPは、第1のモード(たとえば、非DRXモード)および/または第2のモード(たとえば、電力節約モード、C-DRX)に対して構成され得る。ネットワークは、第1のモードおよび/または第2のモードに対してアクティブなBWPの部分であるRLMに対するリソースインデックスのセットでUEを構成することもできる。リソースインデックスのセットは、RLM-RSリスト内に含まれ得る。リソースインデックスは、第1のモードにある間にUEが監視するためにCSI-RSまたはNR-SS(たとえば、SS/PBCHブロック(SSB))にマッピングし得る(それに関する参照を含み得る)。
【００８４】
モードの各々に対して構成されたBWPは、動作(たとえば、モード)変更に先立って、UEに送信され得る。決定された動作モード(たとえば、低減された電力モードであるか否か)に基づいて、UEは、監視および送信のために構成されたBWPを選択して使用し得る。いくつかの例では、UEは、UEが電力節約モードで動作していると決定し得、UEは、電力節約モードに関連して構成されたBWPを選択して監視し得る。
【００８５】
態様によれば、ネットワークは、異なるBWP内で送信された信号同士の間の疑似コロケート(QCL:疑似コロケーション)関係を構成し得る。信号が同様のチャネル状態を受ける場合、それらの信号はQCLであると言われる。したがって、それを介して信号が送信されるチャネルの属性は、それを介してQCL信号が送信されるチャネルの属性から推論され得る。たとえば、ネットワークは、BWP内のどの送信が別のBWP内の送信とのQCLであるかをUEにシグナリングし得る。示す例では、UEは、第1のモードで動作している間に4つのCSI-RSポート(CSI-RS1からCSI-RS4)に対してBWP1を監視するように構成され得、第2のモードで動作している間にBWP2を監視するように構成され得る。UEは、BWP2のCSI-RSおよびNR-SSのQCL関係を受信することができる。UEが第2のモード(たとえば、C-DRX)に遷移するとき、BWP2は、アクティブになり、UEは、受信された構成に基づいて、BWP2の監視に切り替えることができる。一例では、UEは、たとえば、BWP1内のCSI-RS1およびCSI-RS2がBWP2内のSSブロック1とQCLであり、CSI-RS3およびCSI-RS4がBWP2内のSSブロック2とQCLであるという指示に基づいて、BWP2内のSSブロック1およびSSブロック2を監視し測定し得る。
【００８６】
804において、UEは、ビーム障害回復プロシージャに関して、BWPのセットのうちのアクティブなBWPを使用するか、またはBWPのセットのうちの別のBWPに切り替えるかを決定する。806において、UEは、その決定に基づいて、ビーム障害回復プロシージャの間に決定されたBWP上で(たとえば、アクティブなDL BWP上で)監視および/または(たとえば、アクティブなUL BWP上で)送信する。
【００８７】
UEが、その動作状態(たとえば、動作モード)が(たとえば、第1のモードから第2のモードに、またはその逆に)変更されたと決定したとき、UEはそのRFチェーンを構成されたBWPに同調させる。この例では、UEにおける状態変更は、アクティブなBWPの変更をトリガする。
【００８８】
一例によれば、UEは第2のモード(たとえば、電力節約モード)であり得る。UEは、第1のモードで動作している間にトラフィックの欠如により第2のモードで到着し得る。UEは、第2のモードに関連するBWPに対してRML-RSリスト内で構成された信号を監視する。この場合、UEは、UEの動作モードに基づいて、アクティブなBWPに対して構成された信号を監視する。ネットワークは、第2のモードに対して構成されたBWP内で、DL制御および/もしくはデータ(たとえば、PDCCHおよび/もしくはPDSCH)またはRS(たとえば、CSI-RSおよび/もしくは追跡基準信号(TRS))を送信し得る。ネットワークはUEが電力節約モード(たとえば、第2のモード)にいつ遷移するかを知っているため、ネットワークは、UEの第1の動作モードに対して構成されたBWP内でダウンリンク信号を送信しないことも、またはアップリンク信号を監視しないこともある。したがって、ネットワークは、第2のモードに対して構成されたBWP内でUL制御/データ(PUCCH/PUSCH)またはRS(SRS)を監視し、UEは、第2のモードに対して構成されたBWP内でUL制御/データ(PUCCH/PUSCH)またはRS(SRS)を送信する。
【００８９】
一態様によれば、第2のモードのUEが、受信するためのDLデータを有するか、または送信するためのULデータを有する場合、UEは第2のモードから第1のモードに遷移する。したがって、C-DRXモードのUEがDL制御を受信するか、または送信するためのPUCCH/PUSCHを有するとき、UEは構成されたC-DRX BWPから構成された非DRX BWPに切り替える。したがって、UEはそのRFを(C-DRXなど、第1の動作に対して構成された)あるBWPから(非DRXなど、他の動作に対して構成された)別のBWPに同調させる。たとえば、場合によっては、UEはビーム障害回復プロシージャのために別のBWPに同調し得る。NWは、第1のモードに関連するBWP内でUL送信を監視する。一態様では、いくつかの例では、UEは、たとえば、ランダムアクセスプロシージャをサポートする初期DLおよび/またはUL BWPに同調し得る。たとえば、電力節約モードで動作しているUEに対して構成された1つまたは複数のBWPは、ランダムアクセスプロシージャをサポートする初期DL-BWP/初期UL-BWPのセットであり得る。
【００９０】
一態様によれば、UEは(たとえば、UEがBWPを切り替えると決定したとき)アクティブなBWP内で変更を要求し得る。UEは、アクティブなトラフィックを受けて第1のモードで動作していることがある。一定の持続時間(たとえば、しきい値持続時間を超える期間)の後、UEがアクティブなトラフィックを有さない場合、UEはアクティブなBWPを変更するための要求をネットワークに送信し得る。この要求は、NR-SSまたは同期信号を含む任意の異なるBWPに対する変更を含み得る。
【００９１】
図9は、動作に対してBWPを切り替えるための、本開示の態様による、UEによって実行され得る例示的な動作900を示す。902において、UEは、第1のモードで動作している間にUEが監視するための1つまたは複数のアクティブなBWPの第1のセットを含む第1の構成をTRPから受信し得る。904において、UEは、第2のモードで動作している間にUEが監視するための1つまたは複数のアクティブなBWPの第2のセットを含む第2の構成をTRPから受信する。906において、UEは、UEの動作モードを決定する。この動作モードは、第1のモードまたは第2のモードであり得、第2のモードは、第1のモードと比較して低減された電力モードであり得る。908において、UEは、決定された動作モードに少なくとも部分的に基づいて、1つもしくは複数のアクティブなBWPの第1のセットまたは1つもしくは複数のアクティブなBWPの第2のセットのうちの1つを監視する。
【００９２】
上記で説明したように、第1の構成は、アクティブなBWPの第1のセットに関連する、監視するための1つもしくは複数のSSまたはRSの指示を含んでよく、第2の構成は、アクティブなBWPの第2のセットに関連する、監視するための1つもしくは複数のSSまたはRSの指示を含んでよい。UEのモードに基づいて、UEは、アクティブなBWPの第1のセットもしくは第2のセット内で示されたSSまたはRSのうちの1つまたは複数を監視し得る。
【００９３】
一態様では、UEは、アクティブなBWPの第1のセットに関連する1つもしくは複数のSSまたはRSとアクティブなBWPの第2のセットに関連する1つもしくは複数のSSまたはRSとの間のQCL関係の指示をTRPから受信し得る。
【００９４】
一態様では、UEは、動作モードにおける変更など、動作状態における変更を決定することができる。決定された変更に応じて、UEは、1つまたは複数の監視されたBWPを変更する(たとえば、切り替える)。いくつかの例では、UEは、決定された、変更された動作モードに関連するアクティブなBWPを監視し得る。決定された、変更された動作モードに関連するアクティブなBWPを監視することは、変更された動作モードのアクティブなBWPに関連するSSまたはRSとのSSまたはRSのQCLを監視することを含み得る。
【００９５】
一態様によれば、第1の構成は、第1のモードで動作している間のアップリンク送信のための1つまたは複数のBWPの第3のセットをさらに備え、第2の構成は、第2のモードで動作している間のアップリンク送信のための1つまたは複数のBWPの第4のセットをさらに備える。UEは、決定された動作モードに少なくとも部分的に基づいて、BWPの第3のセットまたはBWPの第4のセットのうちの1つを使用して送信する。
【００９６】
図10および図12は、本開示のいくつかの態様による、TRP(たとえば、gNBであり得るワイヤレス通信ネットワーク100内のBS110など)によって実行され得る例示的な動作1000および1200を示す。動作1000、および/または1200は、1つまたは複数のプロセッサ(たとえば、図4のプロセッサ440)上で実行され(executed)、実行される(run)ソフトウェア構成要素として実装され得る。さらに、動作1000および/または1200におけるTRPによる信号の送信および受信は、たとえば、1つまたは複数のアンテナ(たとえば、図4のアンテナ434)によって可能にされ得る。いくつかの態様では、TRPによる信号の送信および/または受信は、信号を取得および/もしくは出力する1つまたは複数のプロセッサ(たとえば、プロセッサ440)のバスインターフェースを介して実装され得る。
【００９７】
TRPによる動作1000は、図9を参照して説明する、UEによって実行される動作900に対して相補的であり得る。
【００９８】
1002において、TRPは、第1のモードで動作している間にUEが監視するための1つまたは複数のアクティブなBWPの第1のセットを含む第1の構成をUEに送信する。1004において、TRPは、第2のモードで動作している間にUEが監視するための1つまたは複数のアクティブなBWPの第2のセットを含む第2の構成をUEに送信する。1006において、TRPは、UEの動作モードを決定する。この動作モードは、第1のモードまたは第2のモードであり得、第2のモードは、第1のモードと比較して低減された電力モードであり得る。1008において、TRPは、決定された動作モードに少なくとも部分的に基づいて、1つもしくは複数のアクティブなBWPの第1のセットまたは1つもしくは複数のアクティブなBWPの第2のセットのうちの1つを使用して送信する。
【００９９】
上記で説明したように、第1の構成は、アクティブなBWPの第1のセットに関連する、監視するための1つもしくは複数のSSまたはRSの指示を含んでよく、第2の構成は、アクティブなBWPの第2のセットに関連する、監視するための1つもしくは複数のSSまたはRSの指示を含む。TRPは、アクティブなBWPの第1のセットもしくは第2のセット内で示されたSSまたはRSのうちの1つまたは複数を送信する。
【０１００】
UEは、たとえば、UEがネットワークと同期しているかまたは同期外れであるかを決定するためのRLMを実行し得る。いくつかの例では、UEは、決定されたUE動作モードに基づいて選択されたアクティブなBWPを使用して、RLMを実行し得る。
【０１０１】
いくつかの例では、UEは、DLおよびUL上でのBWP内での動作に対して構成され得る。ネットワークは、TRPを介して、NR-SSのみを含みCSI-RSを含まない、NR-SSおよびCSI-RSを含む、かつ/またはCSI-RSを含みNR-SSは含まない、構成されたBWPの指示を送信する。UEは、異なるBWPの信号同士の間のQCL関係の指示を受信することもできる。
【０１０２】
UEが低電力モードで動作している間、UEはアクティブなBWP内でNR-SSを監視し得る。UEがダウンリンク無線リンク品質問題、たとえば、N個の連続したOOS指示を観測したとき、UEは、NR-SSとCSI-RSのどちらも、またはCSI-RSのみのいずれかを含む、別のBWPに切り替えることができる。UEは、新しいBWP上でRLM-RSリストを監視し得る。BWPを切り替えた後、UEはその無線リンク障害(RLF)タイマ(たとえば、T310タイマ)をリセットし得る。
【０１０３】
決定されたモードに基づいて、ネットワークは、UEに対して構成されたUL BWPを使用して、UEを監視し得る。たとえば、ネットワークは、DL制御(たとえば、PDCCH)、データ(たとえば、PDSCH)、および/またはRSを構成されたアクティブなDL BWP上で送信することができ、ネットワークは、構成されたUL BWP上でUL送信をUEから受信することができる。
【０１０４】
いくつかの例では、ネットワークは、UEのロケーションについて確信がもてないことがある。たとえば、ネットワークは、1つはNR-SSのみを含み、もう1つはNR-SSおよびCSI-RSを含む、2つのBWP構成をUEに提供した可能性がある。TRPは、UEからUL送信を受信するために、これらの構成の各々に関連するUL BWPを監視し得る。
【０１０５】
いくつかの態様によれば、UEは、たとえば、UEが、CSI-RSを含まない、構成されたBWP内で現在動作しているとき、CSI-RSを含むアクティブなBWPに変更するための要求をTRPに送信し得る。いくつかの例では、UEがNR-SSの監視に基づいて、UEとTRPとの間の不十分な無線リンクを決定した場合、UEは、BWPを切り替えて、CSI-RSを監視して無線リンク状態をより正確に決定することができる。
【０１０６】
図11は、本開示の態様による、UEによって実行され得る例示的な動作1100を示す。1102において、UEは、監視するための1つまたは複数のBWPの第1の構成をTRPから受信する。第1の構成は、SSを含みRSを含まない、1つまたは複数のBWPを有し得る。1104において、UEは、1つまたは複数のBWPの第1の構成に関連するSSを監視し得る。1106において、UEは、監視されたSSに関連するOOS指示の数がしきい値よりも大きいと決定する。1108において、UEは、1つまたは複数のBWPの第1の構成に関連するSSの監視からBWPの異なる構成に関連するRSの監視に切り替える。
【０１０７】
一態様によれば、BWPの異なる構成は、SSおよびRSを含む、1つもしくは複数のBWPの第2の構成、またはRSを含むがSSを含まない、1つもしくは複数のBWPの第3の構成のうちの1つを含む。UEは、TRPから構成を受信し得る。いくつかの例では、UEは、TRPからしきい値を受信する。しきい値は、連続したOOS指示の数、または定義された時間期間内に示されるOOSの数を含み得る。
【０１０８】
図12は、本開示の態様による、TRPによって実行され得る例示的動作1200を示す。TRPによる動作1200は、図11を参照して説明した、UE動作による動作1100に対して相補的であり得る。1202において、TRPは、監視するための1つまたは複数のBWPの第1の構成をUEに送信する。第1の構成は、SSを含みRSを含まない、1つまたは複数のBWPを有し得る。1204において、TRPは、1つまたは複数のBWPの第1の構成に関連するSSの監視からRSの監視にいつ切り替えるかの指示をUEに送信する。RSは、異なるBWPに関連付けられ得る。
【０１０９】
したがって、本明細書で説明するように、UEは、UEが、いくつかのシナリオではCSI-RSを含む、アクティブなBWPを使用してネットワークと同期しているかまたは同期外れであるかを決定するために、RLMを実行し得る。
【０１１０】
それぞれ例示的な同期信号および基準信号としてNR-SSおよびCSI-RSを使用する態様について説明してきたが、本明細書で提示する方法は、RLMのために使用され得る任意の同期信号または基準信号に適用され得る。
【０１１１】
図13は、図8に示す動作など、本明細書で開示する技法に対する動作を実行するように構成された(たとえば、ミーンズプラスファンクション構成要素に対応する)様々な構成要素を含み得る通信デバイス1300を示す。通信デバイス1300は、トランシーバ1308に結合された処理システム1302を含む。トランシーバ1308は、本明細書で説明するような様々な信号など、アンテナ1310を介して通信デバイス1300用の信号を送信および受信するように構成される。処理システム1302は、通信デバイス1300によって受信および/または送信されることになる信号の処理を含めて、通信デバイス1300用の処理機能を実行するように構成され得る。
【０１１２】
処理システム1302は、バス1306を介してコンピュータ可読媒体/メモリ1312に結合されたプロセッサ1304を含む。いくつかの態様では、コンピュータ可読媒体/メモリ1312は、プロセッサ1304によって実行されると、図8に示した動作、または動作のためのBWP切替えのために本明細書で説明する様々な技法を実行するための他の動作をプロセッサ1304に実行させる命令(たとえば、コンピュータ実行可能コード)を記憶するように構成される。いくつかの態様では、コンピュータ可読媒体/メモリ1312は、BWP構成を受信するためのコード1314、ビーム障害回復プロシージャのために使用するためのBWPを決定するためのコード1316、およびビーム障害回復プロシージャの間に決定されたBWP上で監視および/または送信するためのコード1318を記憶する。いくつかの態様では、プロセッサ1304は、コンピュータ可読媒体/メモリ1312内に記憶されたコードを実装するように構成された回路を有する。プロセッサ1304は、BWP構成を受信するための回路1320、ビーム障害回復プロシージャのために使用するためのBWPを決定するための回路1322、およびビーム障害回復プロシージャの間に決定されたBWP上で監視および/または送信するための回路1324を含む。
【０１１３】
本明細書で開示した方法は、方法を達成するための1つまたは複数のステップまたはアクションを備える。方法ステップおよび/またはアクションは、特許請求の範囲の範囲から逸脱することなく互いに入れ替えられてもよい。言い換えれば、ステップまたはアクションの特定の順序が指定されない限り、特定のステップおよび/またはアクションの順序および/または使用は、特許請求の範囲の範囲から逸脱することなく修正されてもよい。
【０１１４】
本明細書で使用する項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素による任意の組合せ(たとえば、a-a、a-a-a、a-a-b、a-a-c、a-b-b、a-c-c、b-b、b-b-b、b-b-c、c-c、およびc-c-c、または、a、b、およびcの任意の他の順序)をカバーすることが意図される。
【０１１５】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでもよい。また、「決定する」は、受信する(たとえば、情報を受信する)、アクセスする(たとえば、メモリ内のデータにアクセスする)などを含み得る。また、「決定する」は、解決する、選択する、選出する、確立するなどを含み得る。
【０１１６】
前述の説明は、いかなる当業者も、本明細書で説明した様々な態様を実践することが可能になるように提供される。これらの態様の様々な修正は、当業者に容易に明らかになり、本明細書で定義する一般原理は、他の態様に適用され得る。したがって、特許請求の範囲は、本明細書に示す態様に限定されるものではなく、特許請求の範囲の文言と一致する全範囲が与えられるべきであり、単数形の要素への言及は、そのように明記されていない限り、「唯一無二の」ではなく、むしろ「1つまたは複数の」を意味するものとする。別段に明記されていない限り、「いくつかの」という用語は1つまたは複数を指す。当業者に知られているか、または後で知られることになる、本開示全体にわたって説明した様々な態様の要素のすべての構造的および機能的等価物は、参照により本明細書に明確に組み込まれ、特許請求の範囲によって包含されるものとする。さらに、本明細書で開示したものはいずれも、そのような開示が特許請求の範囲において明示的に列挙されているか否かにかかわらず、公に捧げられることを意図するものではない。請求項のいかなる要素も、「のための手段」という句を使用して要素が明示的に列挙されていない限り、または方法クレームの場合、「のためのステップ」という句を使用して要素が列挙されていない限り、米国特許法第112条(f)の規定の下で解釈されるべきではない。
【０１１７】
上述の方法の様々な動作は、対応する機能を実行することができる任意の好適な手段によって実行されてもよい。この手段は、限定はしないが、回路、特定用途向け集積回路(ASIC)、またはプロセッサを含む、様々なハードウェアおよび/またはソフトウェア構成要素および/またはモジュールを含んでもよい。概して、図に示した動作がある場合、それらの動作は、同様の番号を付された対応する同等のミーンズプラスファンクション構成要素を有してもよい。
【０１１８】
本開示に関して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタロジック、ディスクリートハードウェア構成要素、または、本明細書で説明した機能を実行するように設計されたそれらの任意の組合せを用いて実装または実行されてもよい。汎用プロセッサは、マイクロプロセッサであってよいが、代替として、プロセッサは、任意の市販のプロセッサ、コントローラ、マイクロコントローラ、または状態機械であってもよい。プロセッサは、コンピューティングデバイスの組合せ(たとえば、DSPおよびマイクロプロセッサの組合せ、複数のマイクロプロセッサ、DSPコアと連携する1つもしくは複数のマイクロプロセッサ、または任意の他のそのような構成)として実装することもできる。
【０１１９】
ハードウェアとして実装される場合、例示的なハードウェア構成は、ワイヤレスノード内の処理システムを備えてもよい。処理システムは、バスアーキテクチャを用いて実装されてもよい。バスは、処理システムの特定の適用例および全体的な設計制約に応じて、任意の数の相互接続バスおよびブリッジを含んでもよい。バスは、プロセッサ、機械可読媒体、およびバスインターフェースを含む、様々な回路を互いにリンクさせる場合がある。バスインターフェースは、バスを介して、とりわけ、処理システムにネットワークアダプタを接続するために使用されてもよい。ネットワークアダプタは、PHYレイヤの信号処理機能を実装するために使用されてもよい。ユーザ端末120(図1参照)の場合、ユーザインターフェース(たとえば、キーパッド、ディスプレイ、マウス、ジョイスティックなど)もバスに接続され得る。バスは、タイミングソース、周辺装置、電圧調整器、電力管理回路などの様々な他の回路をリンクさせることもできるが、これらの回路は当技術分野でよく知られており、したがって、これ以上は説明しない。プロセッサは、1つまたは複数の汎用および/または専用プロセッサを用いて実装されてもよい。例としては、マイクロプロセッサ、マイクロコントローラ、DSPプロセッサ、およびソフトウェアを実行することができる他の回路がある。当業者は、特定の用途とシステム全体に課せられた全体的な設計制約とに応じて処理システムに関する上述の機能を最も適切に実装するにはどうすべきかを認識するであろう。
【０１２０】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてもよい。代替として、記憶媒体は、プロセッサと一体であってもよい。例として、機械可読媒体は、送信線路、データによって変調された搬送波、および/またはワイヤレスノードとは別個の命令が記憶されたコンピュータ可読記憶媒体を含んでもよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例としては、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは他の任意の好適な記憶媒体、またはそれらの任意の組合せを含めてもよい。機械可読媒体はコンピュータプログラム製品内で具現化されてもよい。
【０１２１】
ソフトウェアモジュールは、単一の命令または多くの命令を備えてよく、いくつかの異なるコードセグメントにわたって、異なるプログラム間で、また複数の記憶媒体にわたって、分散されてもよい。コンピュータ可読媒体は、いくつかのソフトウェアモジュールを含んでもよい。ソフトウェアモジュールは、プロセッサなどの装置によって実行されると、処理システムに様々な機能を実行させる命令を含む。ソフトウェアモジュールは、送信モジュールと受信モジュールとを含んでもよい。各ソフトウェアモジュールは、単一の記憶デバイス内に存在しても、または複数の記憶デバイスにわたって分散されてもよい。例として、トリガイベントが発生したときに、ソフトウェアモジュールは、ハードドライブからRAMにロードされてもよい。ソフトウェアモジュールの実行中、プロセッサは、アクセス速度を高めるために、命令のうちのいくつかをキャッシュにロードしてもよい。1つまたは複数のキャッシュラインが、次いで、プロセッサによって実行されるように汎用レジスタファイルの中にロードされてよい。以下でソフトウェアモジュールの機能に言及する場合、そのような機能は、そのソフトウェアモジュールからの命令を実行するときにプロセッサによって実装されることが理解されよう。
【０１２２】
また、あらゆる接続が、コンピュータ可読媒体と適切に呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。本明細書において使用されるディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常はデータを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を備えてもよい。加えて、他の態様の場合、コンピュータ可読媒体は、一時的コンピュータ可読媒体(たとえば、信号)を備えてもよい。上記の組合せもコンピュータ可読媒体の範囲に含まれるべきである。
【０１２３】
したがって、いくつかの態様は、本明細書で提示した動作を実行するためのコンピュータプログラム製品を含んでもよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでもよい。たとえば、本明細書で説明し、図8〜図12に示した動作を実行するための命令。
【０１２４】
さらに、本明細書で説明した方法および技法を実行するためのモジュールおよび/または他の適切な手段は、適用可能な場合にユーザ端末および/または基地局によってダウンロードおよび/または他の方法で取得され得ることを理解されたい。たとえば、そのようなデバイスは、本明細書で説明した方法を実行するための手段の転送を容易にするためにサーバに結合することができる。あるいは、本明細書で説明した様々な方法は、ユーザ端末および/または基地局が、記憶手段をデバイスに結合または提供する際に様々な方法を取得できるように、記憶手段(たとえば、RAM、ROM、コンパクトディスク(CD)またはフロッピーディスクなどの物理記憶媒体)を介して提供され得る。さらに、本明細書で説明した方法および技法をデバイスに提供するための任意の他の適切な技法が利用され得る。
【０１２５】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてもよい。
【符号の説明】
【０１２６】
100  ワイヤレス通信ネットワーク
102a  マクロセル
102b  マクロセル
102c  マクロセル
102x  ピコセル
102y  フェムトセル
102z  フェムトセル
110  BS、基地局(BS)
110a  BS
110b  BS
110c  BS
110r  中継局
110x  BS
110y  BS
110z  BS
120  UE、ユーザ機器(UE)、ユーザ端末
120r  UE
120x  UE
120y  UE
130  ネットワークコントローラ
200  分散RAN
202  アクセスノードコントローラ(ANC)、ANC
204  次世代コアネットワーク(NG-CN)
206  5Gアクセスノード(AN)
208  TRP、DU
210  次世代アクセスノード(NG-AN)
300  分散RAN
302  集中型コアネットワークユニット(C-CU)
304  集中型RANユニット(C-RU)
306  DU
412  データソース
420  送信プロセッサ、プロセッサ
430  TX MIMOプロセッサ、送信(TX)多入力多出力(MIMO)プロセッサ
432  変調器
432a〜432t  復調器/変調器
434  アンテナ
434a〜434t  アンテナ
436  MIMO検出器
438  受信プロセッサ、プロセッサ
439  データシンク
440  コントローラ/プロセッサ
442  メモリ
444  スケジューラ
452a〜452r  アンテナ
454  復調器
454a〜454r  復調器/変調器(DEMOD)
456  MIMO検出器
458  受信プロセッサ、プロセッサ
460  データシンク
462  データソース
464  送信プロセッサ、プロセッサ
466  TX MIMOプロセッサ、プロセッサ
480  コントローラ/プロセッサ
482  メモリ
500  図
505-a  第1のオプション
505-b  第2のオプション
510  RRCレイヤ
515  PDCPレイヤ
520  RLCレイヤ
525  MACレイヤ
530  PHYレイヤ
600  フレームフォーマット
702  TRP
704  UE
706  ビーム
708  ビーム
800  動作
900  動作
1000  動作
1100  動作
1200  動作
1300  通信デバイス
1302  処理システム
1304  プロセッサ
1306  バス
1308  トランシーバ
1310  アンテナ
1312  コンピュータ可読媒体/メモリ
1314  コード
1316  コード
1318  コード
1320  回路
1322  回路
1324  回路
【図１】
2021507645.tif 000003
【図２】
2021507645.tif 000004
【図３】
2021507645.tif 000005
【図４】
2021507645.tif 000006
【図５】
2021507645.tif 000007
【図６】
2021507645.tif 000008
【図７】
2021507645.tif 000009
【図８】
2021507645.tif 000010
【図９】
2021507645.tif 000011
【図１０】
2021507645.tif 000012
【図１１】
2021507645.tif 000013
【図１２】
2021507645.tif 000014
【図１３】
2021507645.tif 000015
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
前記UEに対する帯域幅部分(BWP)のセットの構成を送受信ポイント(TRP)から受信するステップと、
ビーム障害回復プロシージャに関して、前記BWPのセットのうちのアクティブなBWPを使用するか、または前記BWPのセットのうちの別のBWPに切り替えるかを決定するステップであって、前記決定が、前記UEがコネクテッドモード間欠受信(C-DRX)モードであるかどうかに少なくとも部分的に基づく、ステップと、
前記決定に基づいて、前記ビーム障害回復プロシージャの間に前記決定されたBWP上で監視することまたは送信することのうちの少なくとも1つを行うステップと
を含む、方法。
【請求項２】
前記UEにおける動作状態を決定するステップと、
前記決定された動作状態に少なくとも部分的に基づいて、前記アクティブなBWPを使用するか、または前記別のBWPに切り替えるかを決定するステップと
をさらに含む、請求項1に記載の方法。
【請求項３】
前記決定が、ランダムアクセスプロシージャをサポートするのが前記アクティブなBWPか前記別のBWPかに少なくとも部分的に基づく、請求項1に記載の方法。
【請求項４】
前記UEに対するダウンリンク制御情報(DCI)または前記UEによるアップリンク送信の存在を決定するステップであって、前記アクティブなBWPを使用するか、または前記別のBWPに切り替えるかの前記決定が、前記DCIまたは前記アップリンク送信の前記存在に少なくとも部分的に基づく、ステップをさらに含む、請求項1に記載の方法。
【請求項５】
ユーザ機器(UE)によるワイヤレス通信のための方法であって、
前記UEに対する帯域幅部分(BWP)のセットの構成を送受信ポイント(TRP)から受信するステップであって、前記構成が、監視するための1つもしくは複数の同期信号(SS)または基準信号(RS)の指示を含む、ステップと、
ビーム障害回復プロシージャに関して、前記BWPのセットのうちのアクティブなBWPを使用するか、または前記BWPのセットのうちの別のBWPに切り替えるかを決定するステップと、
前記決定に基づいて、前記ビーム障害回復プロシージャの間に前記決定されたBWP上で監視することまたは送信することのうちの少なくとも1つを行うステップであって、前記監視することが、前記決定されたBWP内で前記指示されたSSまたはRSのうちの1つまたは複数を監視することを含む、ステップと、
しきい値を超える時間期間にわたる前記アクティブなBWP上のトラフィックの欠如を決定するステップと、
前記決定されたトラフィックの欠如に基づいて、前記アクティブなBWPの変更についての要求を前記TRPに送信するステップと
を含む、方法。
【請求項６】
ユーザ機器(UE)によるワイヤレス通信のための方法であって、
前記UEに対する帯域幅部分(BWP)のセットの構成を送受信ポイント(TRP)から受信するステップと、
前記BWPのセットに関連する、1つもしくは複数の同期信号(SS)または基準信号(RS)同士の間の疑似コロケート(QCL)関係の指示を受信するステップと、
ビーム障害回復プロシージャに関して、前記BWPのセットのうちのアクティブなBWPを使用するか、または前記BWPのセットのうちの別のBWPに切り替えるかを決定するステップと、
前記決定に基づいて、前記ビーム障害回復プロシージャの間に前記決定されたBWP上で監視することまたは送信することのうちの少なくとも1つを行うステップであって、前記監視することが、前記QCL関係に基づく、ステップと
を含む、方法。
【請求項７】
ユーザ機器(UE)によるワイヤレス通信のための方法であって、
前記UEに対する帯域幅部分(BWP)のセットの構成を送受信ポイント(TRP)から受信するステップであって、前記構成が、監視するための1つもしくは複数の同期信号(SS)または基準信号(RS)の指示を含む、ステップと、
ビーム障害回復プロシージャに関して、前記BWPのセットのうちのアクティブなBWPを使用するか、または前記BWPのセットのうちの別のBWPに切り替えるかを決定するステップと、
前記決定に基づいて、前記ビーム障害回復プロシージャの間に前記決定されたBWP上で監視することまたは送信することのうちの少なくとも1つを行うステップであって、前記監視することが、前記決定されたBWP内で前記指示されたSSまたはRSのうちの1つまたは複数を監視することを含む、ステップと、
前記監視された1つまたは複数のSSに関連するアウトオブサービス(OOS)指示の数がしきい値よりも大きいと決定するステップと、
前記1つまたは複数のRSを監視するために前記別のBWPに切り替えると決定するステップと
を含む、方法。
【請求項８】
前記別のBWPが、SSおよびRSを含むか、またはRSを含むがSSは含まない、請求項7に記載の方法。
【請求項９】
前記しきい値が、連続したOOS指示のしきい値数を含む、請求項7に記載の方法。
【請求項１０】
前記しきい値を前記TRPから受信するステップ
をさらに含む、請求項7に記載の方法。
【請求項１１】
前記切替えの後、無線リンク障害タイマをリセットするステップ
をさらに含む、請求項7に記載の方法。
【請求項１２】
ワイヤレス通信のための装置であって、
前記装置に対する帯域幅部分(BWP)のセットの構成を送受信ポイント(TRP)から受信するための手段と、
ビーム障害回復プロシージャに関して、前記BWPのセットのうちのアクティブなBWPを使用するか、または前記BWPのセットのうちの別のBWPに切り替えるかを決定するための手段であって、前記決定が、前記装置がコネクテッドモード間欠受信(C-DRX)モードであるかどうかに少なくとも部分的に基づく、手段と、
前記決定に基づいて、前記ビーム障害回復プロシージャの間に前記決定されたBWP上で監視することまたは送信することのうちの少なくとも1つを行うための手段と
を含む、装置。
【請求項１３】
前記装置における動作状態を決定するための手段と、
前記決定された動作状態に少なくとも部分的に基づいて、前記アクティブなBWPを使用するか、または前記別のBWPに切り替えるかを決定するための手段と
をさらに含む、請求項12に記載の装置。
【請求項１４】
前記決定が、ランダムアクセスプロシージャをサポートするのが前記アクティブなBWPか前記別のBWPかに少なくとも部分的に基づく、請求項12に記載の装置。
【請求項１５】
前記装置に対するダウンリンク制御情報(DCI)または前記装置によるアップリンク送信の存在を決定するための手段であって、前記アクティブなBWPを使用するか、または前記別のBWPに切り替えるかの前記決定が、前記DCIまたは前記アップリンク送信の前記存在に少なくとも部分的に基づく、決定するための手段をさらに含む、請求項12に記載の装置。
【請求項１６】
ワイヤレス通信のための装置であって、
前記装置に対する帯域幅部分(BWP)のセットの構成を送受信ポイント(TRP)から受信するための手段と、
ビーム障害回復プロシージャに関して、前記BWPのセットのうちのアクティブなBWPを使用するか、または前記BWPのセットのうちの別のBWPに切り替えるかを決定するための手段と、
前記決定に基づいて、前記ビーム障害回復プロシージャの間に前記決定されたBWP上で監視することまたは送信することのうちの少なくとも1つを行うための手段と、
しきい値を超える時間期間にわたる前記アクティブなBWP上のトラフィックの欠如を決定するための手段と、
前記決定されたトラフィックの欠如に基づいて、前記アクティブなBWPの変更についての要求を前記TRPに送信するための手段と
を含む、装置。
【請求項１７】
ワイヤレス通信のための装置であって、
前記装置に対する帯域幅部分(BWP)のセットの構成を送受信ポイント(TRP)から受信するための手段と、
前記BWPのセットに関連する、1つもしくは複数の同期信号(SS)または基準信号(RS)同士の間の疑似コロケート(QCL)関係の指示を受信するための手段と、
ビーム障害回復プロシージャに関して、前記BWPのセットのうちのアクティブなBWPを使用するか、または前記BWPのセットのうちの別のBWPに切り替えるかを決定するための手段と、
前記決定に基づいて、前記ビーム障害回復プロシージャの間に前記決定されたBWP上で監視することまたは送信することのうちの少なくとも1つを行うための手段であって、前記監視することが、前記QCL関係に基づく、手段と
を含む、装置。
【請求項１８】
ワイヤレス通信のための装置であって、
前記装置に対する帯域幅部分(BWP)のセットの構成を送受信ポイント(TRP)から受信するための手段であって、前記構成が、監視するための1つもしくは複数の同期信号(SS)または基準信号(RS)の指示を含む、手段と、
ビーム障害回復プロシージャに関して、前記BWPのセットのうちのアクティブなBWPを使用するか、または前記BWPのセットのうちの別のBWPに切り替えるかを決定するための手段と、
前記決定に基づいて、前記ビーム障害回復プロシージャの間に前記決定されたBWP上で監視することまたは送信することのうちの少なくとも1つを行うための手段であって、前記監視することが、前記決定されたBWP内で前記指示されたSSまたはRSのうちの1つまたは複数を監視することを含む、手段と、
前記監視された1つまたは複数のSSに関連するアウトオブサービス(OOS)指示の数がしきい値よりも大きいと決定するための手段と、
前記1つまたは複数のRSを監視するために前記別のBWPに切り替えると決定するための手段と
を含む、装置。
【請求項１９】
前記別のBWPが、SSおよびRSを含むか、またはRSを含むがSSは含まない、請求項18に記載の装置。
【請求項２０】
前記しきい値が、連続したOOS指示のしきい値数を含む、請求項18に記載の装置。
【請求項２１】
前記しきい値を前記TRPから受信するための手段
をさらに含む、請求項18に記載の装置。
【請求項２２】
前記切替えの後、無線リンク障害タイマをリセットするための手段
をさらに含む、請求項18に記載の装置。
【請求項２３】
ワイヤレス通信のための装置であって、
前記装置に対する帯域幅部分(BWP)のセットの構成を送受信ポイント(TRP)から受信するように構成された受信機と、
メモリに結合され、ビーム障害回復プロシージャに関して、前記BWPのセットのうちのアクティブなBWPを使用するか、または前記BWPのセットのうちの別のBWPに切り替えるかを決定するように構成された、少なくとも1つのプロセッサであって、前記決定が、前記装置がコネクテッドモード間欠受信(C-DRX)モードであるかどうかに少なくとも部分的に基づく、少なくとも1つのプロセッサと、
前記決定に基づいて、前記ビーム障害回復プロシージャの間に前記決定されたBWP上で監視することまたは送信することのうちの少なくとも1つを行うように構成されたトランシーバと
を含む、装置。
【請求項２４】
前記少なくとも1つのプロセッサが、
前記装置における動作状態を決定することと、
前記決定された動作状態に少なくとも部分的に基づいて、前記アクティブなBWPを使用するか、または前記別のBWPに切り替えるかを決定することと
を行うようにさらに構成される、請求項23に記載の装置。
【請求項２５】
ワイヤレス通信のためのコンピュータ実行可能コードを記憶したコンピュータ可読記憶媒体であって、前記コンピュータ実行可能コードが、
ユーザ機器(UE)に対する帯域幅部分(BWP)のセットの構成を送受信ポイント(TRP)から受信するためのコードと、
ビーム障害回復プロシージャに関して、前記BWPのセットのうちのアクティブなBWPを使用するか、または前記BWPのセットのうちの別のBWPに切り替えるかを決定するためのコードであって、前記決定が、前記UEがコネクテッドモード間欠受信(C-DRX)モードであるかどうかに少なくとも部分的に基づく、コードと、
前記決定に基づいて、前記ビーム障害回復プロシージャの間に前記決定されたBWP上で監視することまたは送信することのうちの少なくとも1つを行うためのコードと
を含む、コンピュータ可読記憶媒体。
【請求項２６】
前記UEにおける動作状態を決定するためのコードと、
前記決定された動作状態に少なくとも部分的に基づいて、前記アクティブなBWPを使用するか、または前記別のBWPに切り替えるかを決定するためのコードと
をさらに含む、請求項25に記載のコンピュータ可読記憶媒体。
【国際調査報告】
2021507645.tif 000016
2021507645.tif 000017
2021507645.tif 000018